(57)【特許請求の範囲】
【請求項１】
床に立設された柱体と、
前記柱体を覆う第一のフレームと、
前記第一のフレームに対して間隔をあけて配置された第二のフレームと、
前記第一のフレームに設置された反射板と、
前記第二のフレームに設置された光透過パネルと、
前記反射板と前記光透過パネルとの隙間に配置された光源と、
前記第一のフレームの側端と前記第二のフレームの側端との隙間を覆う側壁と、
を備え、
前記光源は、前記反射板の反射面に向かって光を出射し、前記側壁の近傍に配置され、
前記側壁は開閉可能とされていることを特徴とする光柱。
【請求項２】
前記光源が前記柱体の延在方向を中心に回転可能とされていることを特徴とする請求項１に記載の光柱。
【請求項３】
前記隙間に配置されるとともに前記第二のフレームに連結され、前記第二のフレームとの連結部分を中心として回動可能とされた支持部を備え、
前記光源は前記支持部に支持されていることを特徴とする請求項１又は請求項２に記載の光柱。
【請求項４】
前記光源は前記側壁の内側に連設されていることを特徴とする請求項１又は請求項２に記載の光柱。
【発明の詳細な説明】
【技術分野】
【０００１】
本発明は、光柱に関する。
【背景技術】
【０００２】
近年、低消費電力で穏やかな光を発する発光ダイオード（Ｌｉｇｈｔ  Ｅｍｉｔｔｉｎｇ  Ｄｉｏｄｅ：ＬＥＤ、以下、ＬＥＤと記載する）の普及により、間接照明用の光源としてＬＥＤが建築物の天井や床、壁、柱等に多く用いられている。このようなＬＥＤが内蔵された天井や床、壁、柱等は建築物の外装や内装のデザイン性を高め、コミュニケーション等を促す豊かな光環境を実現する。
【０００３】
例えば、特許文献１には、平面状の枠体と、前記枠体の上面に重ねて配置される上板と、前記枠体の内部に設けられた照明装置と、を含む光床が開示されている。この光床では、前記上板は、第一の透明板と、第二の透明板と、前記第一の透明板と前記第二の透明板との間に挿入された光拡散板と、を含んでいる。
【先行技術文献】
【特許文献】
【０００４】
【特許文献１】特開２００９−１６０５２号公報
【発明の概要】
【発明が解決しようとする課題】
【０００５】
ここで、ＬＥＤを用いた間接照明において、合わせガラス等の上板に対する閲覧者側を「前側」といい、その反対側を「後側」とする。上記特許文献１の光床をはじめ、ＬＥＤを内蔵する光床や光壁では、ＬＥＤが上板の後側に設置されている。その場合、施工後のＬＥＤのメンテナンス時には、作業者が上板を外して前側から作業を行う、又は作業者が上板の後側の空間内に入って作業を行う必要があった。
【０００６】
しかしながら、間接照明を用いた光柱は建築物のシンボルとして複数階にわたって貫通して建てられる場合があり、光柱の形状や高さも多様である。従って、ＬＥＤが上板の後側に設置されていると、ＬＥＤのメンテナンス時に、光柱の前側からの作業を試みた場合、作業者が足場の不安定な高所の上板を外さなければならない。一方、光柱の後側からの作業を試みた場合、上板と柱体との隙間が狭い、或いは存在しないために作業者が入ることが不可能になるおそれがある。このように、ＬＥＤが上板の後側に設置されていると、光柱施工後のメンテナンスが難しいという問題があった。
【０００７】
本発明は、上記事情に鑑みてなされたものであり、施工後にＬＥＤ等の光源のメンテナンスを容易に行うことができる光柱を提供する。
【課題を解決するための手段】
【０００８】
請求項１記載の光柱は、床に立設された柱体と、前記柱体を覆う第一のフレームと、前記第一のフレームに対して間隔をあけて配置された第二のフレームと、前記第一のフレームに設置された反射板と、前記第二のフレームに設置された光透過パネルと、前記反射板と前記光透過パネルとの隙間に配置された光源と、前記第一のフレームの側端と前記第二のフレームの側端との隙間を覆う側壁と、を備え、前記光源は、前記反射板の反射面に向かって光を出射し、前記側壁の近傍に配置され、前記側壁は開閉可能とされていることを特徴とする。
【０００９】
上記の光柱では、側壁が開いた状態になった際に、開口部を点検口として、外方からの光源の点検や交換等が容易に行われる。従って、上記の光柱によれば、第二フレーム及び光透過パネルを取り外すことなく、光源のメンテナンス作業を行うことができ、メンテナンス作業の効率化を図ることができる。また、上記の光柱では、光源から発せられた光が反射板で反射し、光透過パネルから閲覧者側に透過する。従って、上記の光柱によれば、反射板の反射面への光の照射エリアや光源の向き等が簡単に調整可能となる。また、例えば柱体の延在方向に光源が連なって配置されていれば、光柱の明るさが均一になる。
また、上記の光柱では、側壁を開いた状態にした際に開口部の近傍に光源があるので、メンテナンス作業をし易くなる。なお、上記の側壁の「近傍」とは、例えば側壁を開いた状態にした際に、開口部から作業者の手又はメンテナンス作業用の工具等が容易に届く範囲を示す。
【００１１】
請求項２記載の光柱では、前記光源が前記柱体の延在方向を中心に回転可能とされていることを特徴とする。
上記の光柱では、光源の姿勢及び出射面の向きが調整可能となる。従って、メンテナンス作業中或いは施工時に側壁を開いた状態とすると、光源の姿勢、出射面が反射板の反射面に対してなす角度等を容易に調整することができる。例えば、メンテナンス作業中に光源の出射面を作業者側に向ければ、作業者が光源の出射面を清掃し易くなる。なお、従来のように光透過パネルを第二のフレームから外す必要はないので、光源のメンテナンス作業の効率化が図られる。また、光源を回動可能にすることで、光の見え具合が容易に調整される。
【００１２】
請求項３記載の光柱は、前記隙間に配置されるとともに前記第二のフレームに連結され、前記第二のフレームとの連結部分を中心として回動可能とされた支持部を備え、前記光源は前記支持部に支持されていることを特徴とする。
上記の光柱では、光源が隙間において連結部分を中心として回動可能となる。従って、メンテナンス作業中或いは施工時に側壁を開いた状態とすれば、光源の位置等を容易に変更し、光源に接触し易くすることができる。これにより、光源のメンテナンス作業の効率化を図ることができる。
【００１３】
請求項４記載の光柱では、前記光源は前記側壁の内側に連設されていることを特徴とする。
上記の光柱では、側壁を閉じた状態から開いた状態にすると、それに連動して、光源が隙間の空間内から外側へ移動する。このように側壁を開いた状態に変更すると同時に光源を作業者の手元に配置し、隙間の空間内に作業者自身が入ったり、手を入れたりすることなく、容易にメンテナンス作業が行われる。これにより、光源のメンテナンス作業の効率化を図ることができる。
【発明の効果】
【００１４】
本発明の光柱によれば、施工後に光源のメンテナンスを容易に行うことができる。
【図面の簡単な説明】
【００１５】
【図１】本発明を適用した光柱の正面図である。
【図２】本発明の第一実施形態に係る光柱の図であり、図１に示すＡ−Ａ線で矢視した場合の断面図である。
【図３】本発明の第一実施形態に係る光柱の一部の断面図であり、図２に示す領域Ｒ１を拡大した図である。
【図４】本発明の第二実施形態に係る光柱の図であり、図１に示すＡ−Ａ線で矢視した場合の断面図である。
【図５】本発明の第二実施形態に係る光柱の一部の断面図であり、図４に示す領域Ｒ２を拡大した図である。
【発明を実施するための形態】
【００１６】
以下、本発明を適用した光柱１の実施形態に係る光柱１Ａ，１Ｂについて、図面を参照して説明する。なお、以下の説明で用いる図面は模式的なものであり、長さ、幅、及び厚みの比率等は実際のものと同一とは限らず、適宜変更することができる。また、光柱１Ａ，１Ｂに共通する説明、及び、光柱１Ａと光柱１Ｂとを特に区別する必要がない場合においては、これらの光柱をまとめて「光柱１」とする。
【００１７】
（第一実施形態）
本発明を適用した第一実施形態の光柱１Ａについて、図１から図３を参照し、説明する。図１は光柱１の正面図である。図２は第一実施形態の光柱１Ａの断面図である。図３は第一実施形態の光柱１Ａの一部の断面図であり、図２に示す領域Ｒ１を拡大した図である。
【００１８】
光柱１は不図示の建物の床に立設された柱であり、本実施形態では平面視略正方形に形成されている。光柱１の四つの側面のうち、二つの側面を正面側から見ると、図１に示すように最も外側に光透過パネル２０が配置され、その後側から反射光が照射可能とされている。
図２に示すように、第一実施形態の光柱１Ａは、柱体４と、フレーム（第一のフレーム）５と、フレーム（第二のフレーム）３０と、反射板４０と、光透過パネル２０と、光源４４と、を備えている。
【００１９】
柱体４は不図示の前記床に立設された構造体である。柱体４としては、ＲＣ（鉄筋コンクリート）造、ＳＲＣ（鉄骨鉄筋コンクリート）造、Ｓ（鉄骨）造等が挙げられる。但し、柱体４が光柱１の芯として適度な強度を持てれば、柱体４の材料や組立方法は特に制限されない。
【００２０】
フレーム５は柱体４を覆う部材である。図２に示すように、フレーム５は、柱体４に対して間隔をあけて柱体４を囲繞するように配置されている。また、フレーム５は、コーナー部材６とフレーム部材２，８とを備えている。
コーナー部材６はフレーム５の四隅で前記床に立設されている。フレーム部材２，８の各側端部はコーナー部材６に接続されている。平面視において、二つのフレーム部材２，２は柱体４を挟んで互いに対向して配置されている。また、二つのフレーム部材８，８は二つのフレーム部材２，２に直交し、柱体４を挟んで互いに対向して配置されている。このようなコーナー部材６及びフレーム部材２，８としては、例えば鉄骨が挙げられるが、特に限定されない。
【００２１】
フレーム部材２には、間隔をあけて外装部材１０が設置されている。外装部材１０の側端部はコーナー部材６の外周面に接合されている。このような外装部材１０としては、例えばアクリル樹脂の焼付塗装を施した板部材が挙げられるが、特に限定されない。
【００２２】
フレーム３０は例えばステンレスで形成された略棒状の部材であり、フレーム５に対して間隔をあけて配置されている。
本実施形態のフレーム３０は、フレーム５のうちフレーム部材８に対して厚み方向（即ち、図１から図５に示す矢印Ｄ１方向）に間隔Ｈをあけて配置されている。
ここで、フレーム５，３０に共通する厚み方向においてフレーム３０側を「前側」、フレーム５側を「後側」とする。
【００２３】
フレーム３０は、コーナー部材１３と枠部材１４とを備えている。図１に示すように、コーナー部材１３は所定の幅寸法を有する細板状に形成され、フレーム３０の両側端に配置されるとともに床から鉛直方向に立設されている。コーナー部材１３の板面はフレーム部材８の外側の面と平行になるように配置されている。
【００２４】
図１及び図３に示すように、枠部材１４はコーナー部材１３より大きな幅寸法を有する細板部材からなる縦枠材１４Ｓと、同様の細板部材からなる横枠材１４Ｔと、を備え、縦枠材１４Ｓ及び横枠材１４Ｔの板面１４ｃ，１４ｄを内側に向けて複数の枠をなすように形成されている。
【００２５】
縦枠材１４Ｓは前記床に立設され（図１参照）、縦枠材１４Ｓの板面１４ａはコーナー部材１３の端部１３ｘに接合されている（図３参照）。即ち、縦枠材１４Ｓの板面方向はコーナー部材１３の板面方向に対して直交している。
横枠材１４Ｔは光柱１の延在方向（即ち、図１から図５に示す矢印Ｄ２方向）において所定の間隔をあけて複数設けられている。横枠材１４Ｔの両端部は縦枠材１４Ｓに接続されている。
縦枠材１４Ｓの板面１４ｂ（即ち、前記複数の枠の内側に向いている面）及び横枠材の板面１４ｃ，１４ｄには、枠部材１４の各枠内に突出するとともに、枠部材１４の前側と後側で対を成す突起部１６，１６が設けられている。
【００２６】
フレーム３０を構成する素材としては、例えばステンレス（ＳＵＳ）が挙げられるが、特に限定されない。
【００２７】
反射板４０は、フレーム５に設置され、具体的にはフレーム５の前側（即ち、フレーム３０側）に配置されている。図２及び図３に示すように、反射板４０はフレーム部材８の幅方向両端でフレーム５に当接し、ビス等の固定部材３６によってフレーム部材８に固定されている。また反射板４０はフレーム５の幅方向両端から中央に向かうに従ってフレーム５から離間するように配置されている。即ち、反射板４０の板面方向はフレーム５のフレーム部材８の延在方向に対して所定の角度θをなして傾斜している。反射板４０は、幅方向中心で屈折し、該幅方向中心を通るフレーム５の仮想中心線Ｙ（図２参照）に対して線対称になるように配置されている。
【００２８】
反射板４０の素材や構造は光を反射可能な反射面４０ｒを備えていれば、特に制限されない。このような反射板４０としては、例えばスチール製の板部材や、適当な板状部材の板面にアルミニウムの薄膜又は誘電体多層膜等のミラー構造を設けたもの等が挙げられる。
【００２９】
光透過パネル２０は、図３に示すようにフレーム３０に設置されている。光透過パネル２０の形状は、フレーム３０の枠部材１４がなす複数の枠の形状に合わせられている。
本実施形態の光透過パネル２０は三枚のガラス２２，２４，２６を備えている。また、ガラス２４，２６は合わせガラスとされている。この合わせガラスは、既存の合わせガラスと同様に、二枚のガラス２４，２６を強靭な中間膜（図示略）で接着して一体化することで形成されている。中間膜の厚み寸法や素材は、合わせガラスの後側から照射された光の透過を妨げなければ特に制限されず、光柱１のデザインコンセプトや安全性等を考慮して適宜設定されている。さらに、光透過パネル２０では、ガラス２４，２６の合わせガラスとガラス２２とはペアガラスとされている。
【００３０】
ガラス２２は光透過パネル２０全体のうち後側に配置されている。ガラス２４，２６の合わせガラスはガラス２２との間に隙間を設けた状態でガラス２２の前側に配置されている。ガラス２２の後側の板面は反射面４０ｒを略対向している。
ガラス２２には、例えばフロートガラスが用いられる。ガラス２４，２６にも例えばフロートガラスが用いられるが、光柱１の外方からの通行者や任意の物体が光柱１に衝突した際等のあらゆる衝撃から光柱１を保護する目的から、光柱１の下方のガラス２４，２６には例えば耐衝撃性に優れた強化ガラスが用いられる。ガラス２２，２４，２６の厚み寸法は例えば５ｍｍ程度に設定されている。なお、ガラス２２，２４，２６の種類及び厚み寸法は、反射板４０の反射光Ｌ２の前側への透過を妨げなければ、特に限定されない。また、ガラス２２と、ガラス２４，２６の合わせガラスとの間隔は例えば１５ｍｍ程度に設定されているが、特に限定されない。
【００３１】
ガラス２２，２４，２６の外周部は枠部材１４の突起部１６，１６同士の間に収容されている。
ガラス２２と合わせガラス２４との間には、スペーサー２７が介在している。また、ガラス２２と突起部１６との間には、ガスケット２８Ａが介在している。合わせガラスと突起部１６との間には、シーリング２８Ｂ，スペーサー２９が介在している。スペーサー２７，２９は、例えば硬質素材で構成されている。ガスケット２８Ａは、例えばエチレン−酢酸ビニル共重合（ＥＶＡ）樹脂等で構成されている。シーリング２８Ｂは、例えば合成ゴム等の弾性体で構成されている。このような構成により、合わせガラス２２，２４，２６はスペーサー２７，２９、ガスケット２８Ａ、シーリング２８Ｂを介して一対の突起部１６，１６に押圧された状態で枠部材１４の枠内に把持されている。なお、ガラス２２，２４，２６を突起部１６，１６同士の間に安定して収容できれば、スペーサー２７，２９及びガスケット２８Ａ、シーリング２８Ｂの構成は上記内容に限定されず、これら以外の構成であってもよい。
【００３２】
光源４４は、光透過パネル２０と反射板４０との間の隙間Ｐに配置されている。光源４４は枠部材１４がなす枠の矢印Ｄ２方向の寸法に合った長さ寸法を有している。間隔Ｈは光源４４の寸法等を勘案して設定されている。図３に示すように、光源４４の出射面４４ｅは、反射板４０の反射面４０ｒに対向するように配置されている。従って、光源４４から発せられた光は反射面４０ｒに向かって出射される。
このような光源４４としては、例えばＬＥＤや蛍光灯が挙げられる。消費電力及び小型化、設計の自由度と費用に優れている点から、光源４４としてはＬＥＤが好適である。
【００３３】
側壁１１は、フレーム５の側端とフレーム３０の側端との隙間を覆うように設けられ、開閉可能とされている。詳細には、フレーム３０に固定部材１９，４６を介して回転軸１８が固定されている。側壁１１の前側の端部が回転軸１８に蝶着され、回転軸１８の軸線１８Ｃを中心として回動可能とされている。以下では、側壁１１が図３に実線で示す位置にある状態を「閉状態」とし、図３に二点鎖線で示す位置にある状態を「開状態」とする。側壁１１が開状態になった際には、閉状態における側壁１１の位置に開口部Ｗが形成される。
【００３４】
本実施形態では、フレーム３０に支持部３３が連結されている。支持部３３は光源４４を支持するためのものである。
詳細には、支持部３３は、台座３２と、回動部材４７と、軸部（連結部分）４８と、を備えている。台座３２は、矢印Ｄ２方向に立ち上がる壁部３２ｄを備えている。回動部材４７は、壁部３２ｄと、固定部材４６の双方に当接して設けられている。固定部材４６は、コーナー部材１３の板面１３ａと、コーナー部材１３からフレーム５側に突出した縦枠材１４Ｓの一部の板面１４ａに、当接して設けられている。軸部４８は回動部材４７を貫通し、回動部材４７の回転中心をなしている。台座３２は、回動部材４７、軸部４８、固定部材４６を介してフレーム３０に接続されている。また、平面視において、支持部３３は隙間Ｐの側端部に配置されている。回動部材４７としては、例えば平型丁番等のヒンジが挙げられる。このような構成によれば、台座３２が軸部４８の軸線４８Ｃを中心に回動可能とされている。
【００３５】
光源４４は支持部３３の台座３２の支持面３２ａに回動可能に支持されている。平面視において、光源４４は隙間Ｐの側端部に配置されている。光源４４は図３に実線で示す姿勢（以下、第一姿勢とする）Ｓ１を基本として矢印Ｄ２方向（柱体の延在方向）を中心に回動可能に支持されている。具体的には、光源４４は自身の軸線４４Ｃを中心に回動可能に支持されている。また、光源４４は回動部材４７及び軸部４８によって第一姿勢Ｓ１を基本として台座３２とともに軸線４８Ｃを中心に回動可能とされている。
【００３６】
上記構成では、光源４４から発せられた光Ｌ１が反射板４０の反射面４０ｒに照射される。光Ｌ１は反射面４０ｒで反射され、反射光Ｌ２として光透過パネル２０に後側から照射され、光透過パネル２０を透過して光柱１の外方に出射される。光透過パネル２０の板面方向に対する反射光Ｌ２の入射角度は、反射面４０ｒに対する光Ｌ１の入射角度と、フレーム５のフレーム部材８の板面方向に対して反射板４０がなす角度θによって概ね設定される。従って、軸線４４Ｃを中心とする光源４４の角度及び姿勢と、所定の角度θとを調整することで、光透過パネル２０の板面方向に対する反射光Ｌ２の入射角度が調整される。また、光源４４の角度及び姿勢と、所定の角度θとを適当に設定することで、光透過パネル２０の板面方向に対する反射光Ｌ２の入射方向及び光透過パネル２０からの反射光Ｌ２の出射方向が調整され、光柱１の正面側（即ち、前側）からの光の見え方が適宜調整される。
【００３７】
上記説明した第一実施形態の光柱１Ａによれば、側壁１１を開状態とした際に開口部Ｗを介して外方から光源４４の点検や交換等のメンテナンス作業を容易に行うことができる。この際、光透過パネル２０をフレーム３０の枠部材１４に対して着脱する必要がなく、側壁１１の開閉の操作のみで、光源４４のメンテナンス作業の効率化を図ることができる。
また、光柱１によれば、光源４４から発せられた光Ｌ１が反射板４０で反射され、光透過パネル２０の後側から前側に透過し、光透過パネル２０の前側から外方に向けて出射される。光透過パネル２０の後側から照射する光を、従来のように光源４４から発せられた直接的な光ではなく、反射光Ｌ２とすることで、光透過パネル２０の前側の板面全体から略均一な光を出射させることができる。光源４４を柱体４の延在方向に連ねて配置する、或いは前記延在方向に延びる光源４４を使用することで、光柱１の明るさを均一にすることができる。
【００３８】
また、光柱１によれば、平面視において、光源４４が隙間Ｐの側端部、即ち側壁１１の近傍に配置されている。これにより、側壁１１が開状態であるときに、作業者が開口部Ｗから手又はメンテナンス作業用の工具を隙間Ｐ内へ長く伸ばして挿入しなくても、光源４４に対するメンテナンス作業を容易に行うことができる。
【００３９】
また、光柱１によれば、光源４４が柱体４の矢印Ｄ２方向を中心に回転可能であり、例えば第一姿勢Ｓ１から図３に二点鎖線で示す姿勢（以下、第二姿勢とする）Ｓ２に変更可能とされている。これにより、光源４４のメンテナンス作業の円滑化及び効率化を図ることができる。また、光Ｌ１の反射面４０ｒに対する入射角度を調整することができる。この入射角度を適当に調整することで、例えば反射面４０ｒからの反射光Ｌ２の照射角度を光透過パネル２０の板面方向に対して直角に設定することができる。これにより、光透過パネル２０を透過して光柱１から発せられる反射光Ｌ２の照射方向を閲覧者に向け、光柱１の明るさを高めることができる。
【００４０】
加えて、第一実施形態の光柱１Ａによれば、光源４４が支持部３３に支持され、且つ台座３２が軸部４８の軸線４８Ｃを中心として回動可能であるため、光源４４の可動範囲及び操作性を拡げることができる。例えば、側壁１１を開状態にして台座３２を回動させ、支持部３３の姿勢を第一姿勢Ｓ１から図３に二点鎖線で示す第三姿勢Ｓ３へと変更することができる。これにより、光源４４を開口部Ｗ付近に配置し、開口部Ｗの外方からでも容易に光源４４の点検又は交換等を行うことができる。即ち、開口部Ｗを点検口として、光源４４のメンテナンスを円滑に行うことができる。
なお、側壁１１の閉状態から開状態への変更と台座３２の第一姿勢Ｓ１から第三姿勢Ｓ３への変更とを連動させれば、光源４４の点検又は交換等のメンテナンス作業のさらなる効率化を図ることができる。
【００４１】
（第二実施形態）
次いで、本発明を適用した第二実施形態の光柱１Ｂについて、図４及び図５を参照し、説明する。図４は第二実施形態の光柱１Ｂの平面図である。図５は第二実施形態の光柱１Ｂの一部の平面図であり、図４に示す領域Ｒ２を拡大した図である。なお、図４及び図５に示す光柱１Ｂの構成要素のうち、図２及び図３に示す光柱１Ａと同一の構成要素には同一の符号を付し、その説明を省略する。
【００４２】
図４及び図５に示すように、第二実施形態の光柱１Ｂは、第一実施形態の光柱１Ａの支持部３３を支持部３８に替えたものである。
支持部３８は台座３９を備えている。台座３９は、矢印Ｄ２方向に立ち上がる壁部３９ｄを備えている。壁部３９ｄが側壁１１の内壁面に当接していることで、支持部３８は側壁１１の内側（即ち、閉状態における隙間Ｐ側）に連設されている。側壁１１が閉状態である場合、平面視において、支持部３８は隙間Ｐの側端部に配置されている。このような構成によれば、支持部３８は回転軸１８の軸線１８Ｃを中心として回動可能とされている。
【００４３】
光源４４は台座３９の支持面３９ａの先端部に支持されている。従って、側壁１１が閉状態である場合、平面視において、光源４４は隙間Ｐの側端部に配置されている。
【００４４】
上記構成では、第一実施形態の光柱１Ａと同様に、光源４４から発せられた光Ｌ１が反射板４０の反射面４０ｒに照射される。光Ｌ１は反射面４０ｒで反射され、反射光Ｌ２として光透過パネル２０に照射され、光透過パネル２０を透過して光柱１の外方に出射される。そして、軸線４４Ｃを中心とする光源４４の角度及び姿勢と、所定の角度θとを調整することで、光透過パネル２０の板面方向に対する反射光Ｌ２の入射角度が調整される。
【００４５】
上記説明した第二実施形態の光柱１Ｂによれば、側壁１１を閉状態から開状態にすると、軸線１８Ｃを中心とする側壁１１の回動に伴って、支持部３８及び光源４４の姿勢が図５に実線で示す第四姿勢Ｓ４から同図に二点鎖線で示す第五姿勢Ｓ５に変更される。側壁１１が開状態になると、光源４４が隙間Ｐの外方に位置し、側壁１１の開閉を操作する作業者の間近に配置される。従って、光源４４の点検や交換等のメンテナンス作業を容易に行うことができる。このように側壁１１の開閉の操作のみで、光透過パネル２０をフレーム３０の枠部材１４に対して着脱する必要がなく、光源４４のメンテナンス作業の効率化を図ることができる。
【００４６】
また、第二実施形態の光柱１Ｂによれば、第一実施形態の光柱１Ａと同様に、光源４４から発せられた光Ｌ１が反射板４０で反射され、光透過パネル２０の後側から前側に透過し、光透過パネル２０の前側から外方に向けて出射される。即ち、光透過パネル２０の前側の板面全体から略均一な光を出射させることができる。これにより、光柱１の明るさを均一にすることができる。
【００４７】
以上、本発明の好ましい実施形態について詳述したが、本発明は係る特定の実施形態に限定されるものではなく、特許請求の範囲内に記載された本発明の要旨の範囲内において、種々の変更が可能である。
【００４８】
例えば、上記実施形態では、幅方向中心で屈折するとともに仮想中心線Ｙに対して線対称な形状を有する反射板４０を例示したが、反射板４０の形状は前記形状に限定されない。例えば、光源４４から発せられた拡散する光Ｌ１を光軸に平行な反射Ｌ２とするために、反射板４０は平面視において湾曲していてもよい。また、前記形状とは反対に、反射板４０の幅方向中心がフレーム５のフレーム部材８に固定され、この幅方向中心から幅方向端部に向かうに従って反射板４０がフレーム部材８から離間していてもよい。このように、反射板４０の形状や種類等は、光源４４から発せられる光Ｌ１と反射板４０で反射される反射光Ｌ２との関係や、反射光Ｌ２の出射パターン等を勘案して適宜変更することができる。
【符号の説明】
【００４９】
１，１Ａ，１Ｂ  光柱
５  フレーム（第一のフレーム）
１１  側壁
３０  フレーム（第二のフレーム）
２０  光透過パネル
３３，３８  支持部
４０  反射板
４０ｒ  反射面
４４  光源
４４Ｃ  軸線
４８  軸部（連結部分）
Ｈ  間隔
Ｐ  隙間
【図１】
0006464476.tif 000002
【図２】
0006464476.tif 000003
【図３】
0006464476.tif 000004
【図４】
0006464476.tif 000005
【図５】
0006464476.tif 000006